(57)【要約】  本発明は、撮像装置及び撮像方法を開示する。撮像装置は、画像を表示することに用いられる表示ユニットモジュールと、表示ユニットモジュールに表示された画像に対して操作するコマンドを受信することに用いられる受信ユニットモジュールと、受信ユニットモジュールにより受信されたコマンドに応じて、測光位置および/または合焦位置を選択することに用いられる処理ユニットモジュールとを含む。本発明は、需要に応じて合焦領域および測光領域を逆に操作して選択し、異なるシーンに応じてパターニングすることができ、それによってユーザ体験を向上させ、これにより、ユーザは、フレーミングプロセスにおいて、合焦ボックスまたは測光ボックスをそれぞれドラッグして独立した合焦および測光を行うことができ、それによってプレイアビリティとユーザ体験を向上させる。【選択図】図３
2016510522.tif 000002
【特許請求の範囲】
【請求項１】
画像を表示することに用いられる表示ユニットモジュールと、
表示ユニットモジュールに表示された画像に対して操作するコマンドを受信することに用いられる受信ユニットモジュールと、
受信ユニットモジュールが受信したコマンドに応じて、測光位置および／または合焦位置を選択することに用いられる処理ユニットモジュールと、を含む撮像装置。
【請求項２】
前記表示ユニットモジュールは、さらに、測光パターンおよび／または合焦パターンを表示することに用いられることを特徴とする、
請求項１に記載の撮像装置。
【請求項３】
前記コマンドは、
表示された測光パターンをドラッグまたはクリックして、測光位置を選択するコマンド、および／または
表示された合焦パターンをドラッグまたはクリックして、合焦位置を選択するコマンドを含むことを特徴とする、
請求項２に記載の撮像装置。
【請求項４】
前記処理ユニットモジュールは、選択された少なくとも一つの測光位置の測光パターンによってカバーされた画素の輝度値を入力値とし、予め設定された関数で計算し、出力値を得ることに用いられる計算ユニットをさらに含み、前記撮像装置は、前記出力値に基づいて撮像することを特徴とする、
請求項２に記載の撮像装置。
【請求項５】
撮像方法であって、
画像を表示するステップと、
表示された画像に対して操作するコマンドを受信するステップと、
受信されたコマンドに応じて、測光位置および／または合焦位置を選択するステップと、を含む撮像方法。
【請求項６】
前記コマンドは、測光位置および／または合焦位置を選択するコマンドを含み、および
受信された、測光位置を選択するコマンドに応じて、測光位置を選択し、
受信された、合焦位置を選択するコマンドに応じて、合焦位置を選択することを特徴する、
請求項５に記載の撮像方法。
【請求項７】
前記測光位置が少なくとも二つであり、および／または前記合焦位置が少なくとも二つであることを特徴とする、
請求項５に記載の撮像方法。
【請求項８】
前記測光位置および／または合焦位置を選択するステップは、さらに、
表示された測光パターンをドラッグまたはクリックして、測光位置を選択すること、および／または、
表示された合焦パターンをドラッグまたはクリックして、合焦位置を選択することを含むことを特徴とする、
請求項５に記載の撮像方法。
【請求項９】
前記測光パターンは、合焦パターンの色または形状と異なることを特徴とする、
請求項８に記載の撮像方法。
【請求項１０】
選択された少なくとも一つの測光位置の測光パターンによってカバーされた画素の輝度値を入力値とし、予め設定された関数で計算し、計算された出力値に基づいて撮影することをさらに含むことを特徴とする、
請求項８に記載の撮像方法。
【発明の詳細な説明】
【技術分野】
【０００１】
本発明は、撮像技術分野に関し、特に撮像装置および撮像方法に関する。
【背景技術】
【０００２】
現在の携帯電話、デジタルカメラなどの手持ち式モバイルデバイスは、フレーミングインターフェースをプレビュ-して手動合焦を行う場合に、タッチポイントの焦点距離および光線情報を同時に計測し、すなわち、ユーザが画面をクリックして手動で合焦する場合に、フレーミングインターフェースの測光値も同時に変化する。
【０００３】
このような合焦および測光モードは、大部分の場合でユーザの要求を満たすことができない。例えば、屋外で逆光撮影を行う場合で、背景光線が比較的十分であり、合焦および測光が１つの点に集中するので、撮影された写真はより暗くなる。
【発明の概要】
【発明が解決しようとする課題】
【０００４】
これを鑑みて、本発明が解決しようとする技術的課題は、従来の撮影フレーミングプロセスにおいて合焦点と測光点を独立させることができなく、ユーザが異なる環境における背景光量に応じてフレーミング撮影を行うのに不便であるなどの欠点を解決するように、撮像装置および撮像方法を提供することである。即ち、合焦点と測光点を独立させて、合焦値と測光値を独立して設定するフレーミング方案およびそれに対応する撮像装置と撮像方法を提供する。
【課題を解決するための手段】
【０００５】
本発明が上記の技術的課題を解決するために採用する技術方案は、次の通りである。
撮像装置は、
画像を表示することに用いられる表示ユニットモジュールと、
表示ユニットモジュールに表示された画像に対して操作するコマンドを受信することに用いられる受信ユニットモジュールと、
受信ユニットモジュールが受信したコマンドに応じて、測光位置および／または合焦位置を選択することに用いられる処理ユニットモジュールと、を含む。
【０００６】
撮像方法は、
画像を表示するステップと、
表示された画像に対して操作するコマンドを受信するステップと、
受信されたコマンドに応じて、測光位置および／または合焦位置を選択するステップと、を含む。
【０００７】
本発明の実施形態によれば、ユーザは、本発明を採用してプレビューしてパターニングする場合に、需要に応じて合焦領域および測光領域を逆に操作して選択し、異なるシーンに応じてパターニングすることができ、それによってユーザ体験を向上させる。これにより、ユーザは、フレーミングプロセスにおいて合焦ボックスおよび測光ボックスをそれぞれドラッグして独立した合焦および測光を行うことができ、それによってプレイアビリティとユーザ体験を向上させる。
【図面の簡単な説明】
【０００８】
【図１】本発明の第一の実施形態に係る撮像装置のモジュールを示す図である。
【図２】本発明の実施形態に係る表示ユニットモジュールの画面を示す図である。
【図３】本発明の実施形態に係る撮像方法のフローチャートである。
【図４】本発明の実施形態に係る撮像方法のＡｎｄｒｏｉｄプラットフォームの携帯電話を例示するフローチャートである。
【発明を実施するための形態】
【０００９】
以下、図面および実施形態を参照して、本発明をさらに詳しく説明する。ここに記載される具体的な実施形態は、本発明を説明するために過ぎず、本発明を限定することに用いられるものではない。
【００１０】
実施形態一：
図１を参照してください。図１は、本発明の第一の実施形態に係る撮像装置のモジュールを示す図である。
【００１１】
撮像装置は、表示ユニットモジュール１１、受信ユニットモジュール１２、および処理ユニットモジュール１３を含む。
【００１２】
表示ユニットモジュール１１は、画像を表示することに用いられる。その中、画像は、カメラにより取り込まれた画像、カメラが受信した画像、または撮像装置に記憶された画像であってよい。また、前記表示ユニットモジュール１１は、さらに、測光パターンおよび／または合焦パターンを表示することに用いられる。カメラと表示ユニットモジュール１１は、互いに接続している。前記カメラは、前記撮像装置の外部に設置される。前記カメラは、フロントカメラ、またはリアカメラであってよく、または独立したカメラであってもよく、データ線を介して表示ユニットモジュール１１と互いに接続する。表示ユニットモジュール１１は、ＬＣＤディスプレイまたはＯＬＥＤディスプレイであってよい。
【００１３】
受信ユニットモジュール１２は、表示ユニットモジュール１１に表示された画像に対して操作するコマンドを受信することに用いられる。その中、コマンドは、身振りで操作するコマンドであってよく、音声制御／音声コマンド、またはタッチして入力されたコマンドであってもよい。
【００１４】
前記コマンドは、表示された測光パターンをドラッグまたはクリックして、測光位置を選択するコマンド、および／または表示された合焦パターンをドラッグまたはクリックして、合焦位置を選択するコマンドを含む。受信ユニットモジュール１２は、マウス、キーボード、マイク、タッチパッド、投影装置、または前者の様々な組み合わせであってよい。
【００１５】
処理ユニットモジュール１３は、受信ユニットモジュール１２が受信したコマンドに応じて、測光位置および／または合焦位置を選択することに用いられる。好ましくは、前記処理ユニットモジュール１３は、選択された少なくとも一つの測光位置の測光パターンによってカバーされた画素の輝度値を入力値にし、予め設定された関数で計算して、出力値を得ることに用いられる計算ユニットを含む。前記撮像装置は、前記出力値に基づいて撮像をする。
【００１６】
例えば、図２に示すように、タッチして入力したコマンドは、指で画像を表示する表示ユニットモジュール１１の画面をタッチすることであって、ユーザが測光位置を選択し、例えば指で測光パターン１００をドラッグして露光量の変化を観察し、そして需要に応じて測光点を選択することができ、合焦位置を選択し、例えば合焦パターン２００を指で合焦すべき位置にドラッグして、合焦することもできる。
【００１７】
好ましくは、前記測光位置が少なくとも二つであり、および／または合焦位置が少なくとも二つである。
【００１８】
好ましくは、前記測光パターンは、合焦パターンの色または形状と異なる。
【００１９】
図３を参照してください。図３は本発明に係る撮像方法のフローチャートである。
【００２０】
撮像方法は、以下のステップを含む。
ステップＳ１：画像を表示する。
ここで、画像は、カメラにより取り込まれた画像、カメラが受信した画像、または撮像装置に記憶された画像であってよい。前記画像は、さらに、測光パターンおよび／または合焦パターンを含むことができる。
【００２１】
ステップＳ２：表示された画像に対して操作するコマンドを受信する。
ここで、前記コマンドは、測光位置を選択するコマンドおよび／または合焦位置を選択するコマンドを含む。
【００２２】
ステップＳ３：受信されたコマンドに応じて、測光位置および／または合焦位置を選択する。
ここで、受信された、測光位置を選択するコマンドに応じて、測光位置を選択し、受信された、合焦位置を選択するコマンドに応じて、合焦位置を選択する。
【００２３】
測光位置および／または合焦位置を選択する前記ステップは、さらに、
表示された測光パターンをドラッグまたはクリックして、測光位置を選択すること、および／または、
表示された合焦パターンをドラッグまたはクリックして、合焦位置を選択することを含む。
【００２４】
他の実施形態において、前記測光位置が少なくとも二つであって、および／または前記合焦位置が少なくとも二つである。
【００２５】
他の実施形態において、前記測光パターンは、合焦パターンの色または形状と異なり、このようにして区別しやすく、ユーザが操作するのに便利を与える。
【００２６】
好ましくは、選択された少なくとも一つの測光位置の測光パターンによってカバーされた画素の輝度値を入力値とし、予め設定された関数で計算し、計算された出力値に基づいて撮影する。
【００２７】
好ましくは、合焦位置の数が少なくとも二つであり、且つ異なる合焦位置に対応する画像が撮像装置に対して遠距離及び近距離で分布する場合、異なる合焦位置に応じて合焦パラメータを調節して撮影し、それによって撮影画像の鮮明さ（ｓｈａｒｐｎｅｓｓ）を最適化する。
【００２８】
実施形態二：
Ａｎｄｒｏｉｄプラットフォームの携帯電話を図４を参照することで例示する。
【００２９】
本製品は、Ａｎｄｒｏｉｄに付属するｄｉｓｐａｔｃｈ  Ｔｏｕｃｈ  Ｅｖｅｎｔ（タッチイベント配布、Ａｎｄｒｏｉｄシステムに付属するタッチイベント処理方法）を採用してタッチイベント配分および処理を行って、タッチ領域の座標を、この前の合焦ボックスおよび測光ボックスの位置と比較して、今回のドラッグまたはクリックイベントが合焦または測光に対する操作であるかを判定する。判定した後ｃａｌｃｕｌａｔｅ  Ｔａｐ  Ａｒｅａ（タッチポイントを中心として矩形領域を計算する座標領域計算）方法で座標変換を行うことによりＵＩの画面座標を最下層に利用可能なドライバ座標に変換する。高域のインタフェースｓｅｔ  Ｍｅｔｅｒｉｎｇ  Ａｒｅａ（測光領域を設定し、測光領域を最下層へ伝送するためのインタフェース）を介して測光領域の設定を行い、ＪＮＩを介してパラメータデータをＨＡＬ層に伝送するとともに最下層に受信される。本発明に係る合焦点および測光点を独立させてフレミングする方法は、以下の３つのモジュールを含む。
【００３０】
（１）合焦領域および測光領域タッチイベントの取得および領域判定：1．Ｗｉｎｄｏｗ  Ｍａｎａｇｅｒ  Ｓｅｒｖｉｃｅ（ウィンドウ管理サービス：Ａｎｄｒｏｉｄフレームワーク層においてウィンドウにおけるビューを管理することに用いられる）がタッチイベントを現在のｔｏｐ  Ａｃｔｉｖｉｔｙに配布し、Ｗｉｎｄｏｗ  Ｍａｎａｇｅｒ  Ｓｅｒｖｉｃｅにおける関数ｄｉｓｐａｔｃｈ  ｐｏｉｎｔｅｒ（配布触点：Ｗｉｎｄｏｗ  Ｍａｎａｇｅｒ  Ｓｅｒｖｉｃｅにおいてメッセージを送信する方法）に、１つのＩＷｉｎｄｏｗのクライアントプロキシオブジェクトによりメッセージを対応するＩＷｉｎｄｏｗサーバ、すなわちＩＷｉｎｄｏｗ.Ｓｔｕｂサブクラスに送信する。2.メッセージを受信した後ＩＷｉｎｄｏｗ.Ｓｔｕｂサブクラスの実現方法ｄｉｓｐａｔｃｈ  Ｐｏｉｎｔｅｒを呼び出す。3.最上層のビューに伝送した後に当該ビューのタッチイベント配布方法を呼び出し、これまでタッチイベントの取得を完了した。現在取得されたタッチ座標値とこの前の合焦領域座標値と測光領域座標値を比較して判定して現在のクリックまたはドラッグ領域が合焦有効領域または測光有効領域または無効領域であるかを知る。
【００３１】
（２）有効領域座標計算およびＵＩからドライバへの座標変換：
トップ領域計算（ｃａｌｃｕｌａｔｅ  Ｔａｐ  Ａｒｅａ）により現在のタッチポイントに基づいて合焦領域および測光領域を計算し、その後マトリックス（Ｍａｔｒｉｘ）におけるマップレクト（ｍａｐ  Ｒｅｃｔ）とＵｔｉｌツール類におけるプリペアマトリック（ｐｒｅｐａｒｅ  Ｍａｔｒｉｘ）（座標変換の準備：Ａｎｄｒｏｉｄ  Ａｐｐ層ツール類が上位層インターフェース座標を最下層ドライバ座標に変換することに用いられる）座標変換により上位層インターフェース座標を最下層ドライバ座標に変換する。
【００３２】
（３）パラメータ伝送および最下層インターフェース呼び出し
対応する領域の推定が完了された後、フレームワーク（Ｆｒａｍｅｗｏｒｋ）層のｓｅｔ  Ｍｅｔｅｒｉｎｇ  Ａｒｅａとｓｅｔ  Ｆｏｃｕｓ  Ａｒｅａ（合焦領域を設定し、合焦領域を最下層へ伝送するためのインターフェース）によりパラメータをＪＮＩ（Ｊａｖａ  Ｎａｔｉｖｅ  Ｉｎｔｅｒｆａｃｅ、ＪＡＶＡがローカルに呼び出されて、上位層ｊａｖａ言語から最下層ｃ言語への呼び出しを完了することに用いられる）に伝送し、そしてａｎｄｒｏｉｄ−ｈａｒｄｗａｒｅ−Ｃａｍｅｒａ（ＪＮＩ層の１つの関数、カメラモジュールにおけるｊａｖａ言語からｃ言語への呼び出しを処理する）を介してＨＡＬ層に伝送し、最終ｎａｔｉｖｅ−ｓｅｔ−ｐａｒｍｓによって実現される。
【００３３】
上記の実施形態は、Ａｎｄｒｏｉｄプラットフォームを例示することだけであり、且つＡｎｄｒｏｉｄプラットフォームに限られなく、アップル社のｉＯＳ、マイクロソフト社のＷｉｎｄｏｗｓなどのプラットフォームまたは操作システムにおいて実現されることができる。
【００３４】
本発明の実施形態によれば、ユーザは、本発明を採用して構図をプレビューする場合、需要に応じて合焦領域と測光領域を逆に操作して選択し、異なるシーンに応じてパターニングすることができ、それによってユーザ体験を向上させることができる。
【００３５】
以上は、図面を参照して本発明の好ましい実施形態を説明するが、そのために本発明の保護範囲を制限しない。本分野の当業者にとって、本発明の範囲および精神から逸脱することなく、本発明が各種類の変更と変化があって、例えば、一つの実施形態の特徴として別の実施形態に用いられることができ、別の実施形態を得る。本発明の技術的思想を使用して行われるいかなる改修、同等入れ替わりおよび改良等が、本発明の保護範囲以内に含まれるべきである。
【図１】
2016510522.tif 000003
【図２】
2016510522.tif 000004
【図３】
2016510522.tif 000005
【図４】
2016510522.tif 000006
【国際調査報告】
2016510522.tif 000007
2016510522.tif 000008
2016510522.tif 000009
2016510522.tif 000010